(57)【要約】【課題】コーナー部に曲面を設けた段ボール箱において、製箱不良の発生を防止する。【解決手段】周壁の隣り合う側板１，４の間に曲面のコーナー部７を設けた段ボール箱において、前記コーナー部７に、型押しにより段ボールの段を潰して、凹凸を生じるエンボス加工を施し、コーナー部７を湾曲させる。また、前記エンボス加工を、線条部８が交差する格子状となって、段ボールの段目に対して傾斜し、また、段ボールの表裏両面に凹凸が生じるように、抜型と面板とで挟圧して施す。コーナー部７がエンボス加工により柔軟になるので、製箱に際し、コーナー部７が特定の部分で屈曲してしまうことがなく、滑らかにコーナー部７を曲げることができる。【選択図】図１
2010126169.tif 000002
【特許請求の範囲】
【請求項１】
周壁の隣り合う側板の間に曲面のコーナー部を設けた段ボール箱において、前記コーナー部に、型押しにより段ボールの段を潰して、凹凸を生じるエンボス加工を施し、コーナー部を湾曲させたことを特徴とする段ボール箱。
【請求項２】
前記エンボス加工を、線条部が交差する格子状に施したことを特徴とする請求項１に記載の段ボール箱。
【請求項３】
前記線条部を、段ボールの段目に対して傾斜させたことを特徴とする請求項２に記載の段ボール箱。
【請求項４】
前記エンボス加工を、段ボールの表裏両面に凹凸が生じるように施したことを特徴とする請求項１乃至３のいずれかに記載の段ボール箱。
【請求項５】
周壁の隣り合う側板の間に曲面のコーナー部を設けた段ボール箱を製造する抜型において、前記コーナー部に対応する位置に、凸部及び凹部を有する型押し部材を設け、段ボールを型押し部材と面板とで挟み込むことにより、段ボールの段を潰して、コーナー部にエンボス加工を施すことを特徴とする段ボール箱の抜型。
【発明の詳細な説明】
【技術分野】
【０００１】
この発明は、コーナーに曲面を有する段ボール箱及びそのブランクを製造するための抜型に関するものである。
【背景技術】
【０００２】
従来、ビール等の飲料缶を包装するラップラウンド式の段ボール箱として、図７に示すようなものが知られている（下記特許文献１参照）。
【０００３】
この段ボール箱は、各一対の側板５１及び平板５２を、その一端に連設した継代片５３を介して角筒状に折り曲げた状態で接合し、側板５１から延びる端面内側の側板５４と、平板５２から延びる端面外側の側板５５とを貼り合わせて封緘するものであり、側板５１から側板５４にかけてライナカット等による開封用の引裂帯５６が設けられている。
【０００４】
上記段ボール箱において、平置き時に周壁を形成する側板５１及び側板５４，５５のうち、繋がって隣り合う側板５１，５４の間に設けられたコーナー部５７は、店頭での視認性や取扱性を向上させ、引裂帯５６を連続的に引き裂けるようにするため、縦方向に平行な複数本の罫線５８を入れて湾曲させることにより、曲面とされている。
【０００５】
【特許文献１】特開２００６−１９３１８６号公報
【発明の開示】
【発明が解決しようとする課題】
【０００６】
しかしながら、上記のように、平行な複数本の罫線５８を入れるだけでは、ラップラウンドケーサーでの製箱時に、コーナー部５７が先端側の側板５４に近接した部分等、特定の部分で屈曲してしまい、製箱不良が発生するおそれがある。
【０００７】
そこで、この発明は、製箱不良の発生を防止しつつ、コーナー部に曲面を形成することを課題とする。
【課題を解決するための手段】
【０００８】
上記課題を解決するため、この発明は、周壁の隣り合う側板の間に曲面のコーナー部を設けた段ボール箱において、前記コーナー部に、型押しにより段ボールの段を潰して、凹凸を生じるエンボス加工を施し、コーナー部を湾曲させたのである。
【０００９】
また、前記エンボス加工を、線条部が交差する格子状に施し、さらに、前記線条部を段ボールの段目に対して傾斜させ、また、段ボールの表裏両面に凹凸が生じるように施したのである。
【００１０】
また、この段ボール箱を製造する抜型において、前記コーナー部に対応する位置に、凸部及び凹部を有する型押し部材を設け、段ボールを型押し部材と面板とで挟み込むことにより、段ボールの段を潰して、コーナー部にエンボス加工を施すこととしたのである。
【発明の効果】
【００１１】
このような抜型により製造したブランクから組み立てる段ボール箱では、コーナー部がエンボス加工により柔軟になるので、製箱に際し、コーナー部が特定の部分で屈曲してしまうことがなく、滑らかにコーナー部を曲げることができ、製箱不良の発生を防止することができる。
【００１２】
また、段ボールの表裏両面に凹凸を設けると、コーナー部の表面に手を掛けて段ボール箱を持ち運ぶ際、手が滑りにくくなり、取扱性が向上する。
【発明を実施するための最良の形態】
【００１３】
以下、この発明の実施形態を添付図面に基づいて説明する。
【００１４】
図１に示す段ボール箱は、ビール等の飲料缶Ｃを包装するラップラウンド式のものであり、図２に示すような段ボールのブランクから形成される。
【００１５】
このブランクでは、各一対の長面の側板１及び平置き時に底面及び天面となる平板２が交互に連設され、一方の側板１の外縁に継代片３が連設されている。段ボールの段目（中しんの段頂が延びる方向）は、これらの連設方向に向けられている。
【００１６】
側板１の両端には、端面の内側となる側板４が連設され、平板２の両端には、端面の外側となる側板５が連設されている。
【００１７】
側板１から側板４にかけては、段ボールの裏面側ライナのみを切断するライナカットにより、開封用の引裂帯６が設けられている。側板１の中央部には引裂帯６の摘み部６ａが設けられ、引裂帯６の両側方には破止線６ｂが入れられている。
【００１８】
継代片３及びその反対側の平板２の外側部には、製箱状態での厚みを抑制するため、段ボールの段を均一に押し潰す段潰し加工が施されている。
【００１９】
そして、繋がって隣り合う側板１，４の間には、製箱状態で曲面とされるコーナー部７が設けられ、コーナー部７には、縦横に多数の細かな凹凸を生じるエンボス加工が施されている。このエンボス加工は、図３に示すように、多数本の線条部８が交差する格子状に施され、線条部８は、段ボールの段目に対して４５°傾斜している。
【００２０】
上記のようなブランクは、大判シート状の段ボールをダイカッタで打ち抜くことにより製造される。
【００２１】
ここで、図４に示すように、ダイカッタに装備される抜型１０には、ブランクの輪郭を打ち抜く全切刃１１と、稜部罫線を入れる押罫部材１２と、コーナー部７にエンボス加工を施す型押し部材１３とが設けられている。
【００２２】
型押し部材１３は、線条の押圧部１３ａが線条部８に対応して格子状に配置され、押圧部１３ａが稜部罫線を入れる押罫部材１２に対して傾斜したものとされている。
【００２３】
また、抜型１０には、引裂帯６の摘み部６ａを形成する全切刃１４と、破止線６ｂを入れる半切刃１５も設けられている。
【００２４】
一方、図５に示すように、抜型１０に対向してダイカッタに装備される面板１６には、型押し部材１３に対応する受部材１７が取り付けられ、受部材１７は、型押し部材１３の格子形状を反転して多数の膨出部１７ａが形成されたものとされている。また、面板１６には、段潰し加工を施すコルク製の押圧部材１８も取り付けられている。
【００２５】
そして、図６に示すように、段ボール箱のブランクを打ち抜く際には、ダイカッタの上盤Ｕに抜型１０を取り付け、下盤Ｌに面板１６を取り付けて、抜型１０と面板１６との間に、材料となる段ボールＳを裏面側を上方へ向けて供給し、下盤Ｌの上昇に伴い、型押し部材１３と受部材１７とで段ボールＳを挟み込み、その押圧部１３ａ及び膨出部１７ａで段ボールＳを押圧し、押圧部１３ａで段ボールＳの段を潰す。
【００２６】
上記のように製造したブランクから段ボール箱を組み立てて、図１に示すように、飲料缶Ｃを包装するには、各一対の側板１及び平板２を角筒状に折り曲げて、集積した飲料缶Ｃを包み込み、継代片３と反対側の平板２の外側部とを貼り合わせ、側板４，５を順次折り曲げて貼り合わせることにより封緘する。
【００２７】
このような段ボール箱では、コーナー部７がエンボス加工を施されて柔軟になっているため、製箱に際し、コーナー部７が特定の部分で屈曲してしまうことがなく、滑らかにコーナー部７を曲げることができ、ラップラウンドケーサーでの製箱不良を防止できる。
【００２８】
また、稜部罫線を入れる段ボールの裏面だけでなく、表面にも凹凸が生じるようにエンボス加工を施しているので、コーナー部７に手を掛けて段ボール箱を持ち運ぶ際、手が滑りにくくなり、取扱性が向上する。
【００２９】
なお、外見の美しさを優先したい場合には、ブランクの打ち抜きに際し、膨出部１７ａを有する受部材１７を省略し、抜型１０の型押し部材１３で段ボールを裏面側からのみ押圧して、段ボールの表面には凹凸が現れないようにエンボス加工を施すとよい。
【００３０】
また、エンボス加工により線条部８が形成する升目の大きさは、ケーサー適性を考慮して、コーナー部７の側板１に近接した部分から側板４に近接した部分にかけて順次大きくする等、変化をつけるようにしてもよい。
【００３１】
そのほか、上記実施形態では、ラップラウンド式の段ボール箱について例示したが、底面及び天面をフラップで開閉する通常の段ボール箱や天面が開放されたトレー等、他の形式の段ボール箱において、コーナー部を曲面とする場合にも、上記のようにコーナー部にエンボス加工を施すことにより、コーナー部を滑らかに曲げることができる。
【図面の簡単な説明】
【００３２】
【図１】この発明の実施形態に係る段ボール箱の組立状態を示す斜視図
【図２】同上の段ボール箱のブランクを示す図
【図３】同上のコーナー部周辺の部分拡大図
【図４】同上の段ボール箱の抜型を示す斜視図
【図５】同上の面板を示す斜視図
【図６】同上のダイカッタによるエンボス加工状態を示す概略断面図
【図７】従来の曲面コーナー部の段ボール箱を示す斜視図
【符号の説明】
【００３３】
１  側板
２  平板
３  継代片
４，５  側板
６  引裂帯
６ａ  摘み部
６ｂ  破止線
７  コーナー部
８  線条部
１０  抜型
１１  全切刃
１２  押罫部材
１３  型押し部材
１３ａ  押圧部
１４  全切刃
１５  半切刃
１６  面板
１７  受部材
１７ａ  膨出部
１８  押圧部材
Ｕ  上盤
Ｌ  下盤
Ｓ  段ボール
Ｃ  飲料缶
【図１】
2010126169.tif 000003
【図２】
2010126169.tif 000004
【図３】
2010126169.tif 000005
【図４】
2010126169.tif 000006
【図５】
2010126169.tif 000007
【図６】
2010126169.tif 000008
【図７】
2010126169.tif 000009